(57)【特許請求の範囲】
【請求項１】
複数の電子デバイスを含む通信ネットワークにおいて放送サービスを利用するための方法であって、
第２の電子デバイスへ第１の電子デバイスによって送信されるメタデータファイルを受信するメタデータファイル受信工程と、
メタデータファイルから放送サービスに対する１つ以上の参照識別子を読み出す参照識別子読出工程と、前記１つ以上の参照識別子は放送サービスについての情報および第１の電子デバイスのユーザのプリファレンスを含むことと、
同１つ以上の参照識別子に基づき、１つ以上の放送サービスを特定する放送サービス特定工程と、特定される放送サービスは、前記１つ以上の参照識別子と関連付けられている放送サービスの記述と一致することと、
第１の電子デバイスのユーザプリファレンスに基づき、メタデータファイルにより指定されるアクションを第２の電子デバイスが実行するアクション実行工程と、からなる方法。
【請求項２】
放送サービス特定工程は検索アルゴリズムによって第１の電子デバイス及び第２の電子デバイスのうちの少なくとも一方との互換性を有する前記１つ以上の放送サービスのフォーマットを特定する工程を含む請求項１に記載の方法。
【請求項３】
第２の電子デバイスにより特定される前記１つ以上の放送サービスから放送サービスを第１の電子デバイスのユーザインタフェースにおいて選択する工程を含む請求項１に記載の方法。
【請求項４】
アクション実行工程は放送サービス特定工程に応答して第１の電子デバイスにメッセージを送信する工程を含む請求項１に記載の方法。
【請求項５】
アクション実行工程は前記１つ以上の放送サービスにアクセスする工程を含む請求項１に記載の方法。
【請求項６】
アクション実行工程は前記１つ以上の放送サービスにアクセスするための時間をスケジューリングする工程を含む請求項１に記載の方法。
【請求項７】
アクション実行工程は前記１つ以上の放送サービスに対応する番組を１つ以上のファイルに記録する工程を含む請求項１に記載の方法。
【請求項８】
１つ以上のファイルを第１のフォーマットから第２のフォーマットに変換する工程を含む請求項７に記載の方法。
【請求項９】
複数の電子デバイスのうちの１つ以上の電子デバイスに番組を送信する工程を含む請求項７に記載の方法。
【請求項１０】
複数の電子デバイスのうちの１つ以上の電子デバイスにメタデータファイルを送信する工程を含む請求項１に記載の方法。
【請求項１１】
複数の電子デバイスを含む通信ネットワークにおいて放送サービスを利用するためのシステムであって、
メタデータファイルから放送サービスに対する１つ以上の参照識別子を読み出すことの可能な読出モジュールと、前記１つ以上の参照識別子は放送サービスについての情報および第１の電子デバイスのユーザのプリファレンスを含むことと、
読出モジュールにより読み出される１つ以上の参照識別子に基づき、１つ以上の放送サービスを特定することの可能なサービス管理モジュールと、からなり、特定される放送サービスは、前記１つ以上の参照識別子と関連付けられている放送サービスの記述と一致する、システム。
【請求項１２】
複数の電子デバイスのうちの１つ以上の電子デバイスにメッセージを送信することの可能なメッセージングモジュールを含む請求項１１に記載のシステム。
【請求項１３】
前記１つ以上の放送サービスにアクセスすることの可能なサービス消費モジュールを含む請求項１１に記載のシステム。
【請求項１４】
前記１つ以上の放送サービスに対し実行されるアクションを指定される時間にスケジューリングすることの可能なスケジューリングモジュールを含む請求項１１に記載のシステム。
【請求項１５】
前記１つ以上の放送サービスに対応する番組を記録することの可能なメモリを含む請求項１１に記載のシステム。
【請求項１６】
複数の電子デバイスのうちの１つ以上の電子デバイスに前記１つ以上の放送サービスを送信することの可能な送信モジュールを含む請求項１１に記載のシステム。
【請求項１７】
前記１つ以上の放送サービスを第１のフォーマットから第２のフォーマットに変換することの可能なコンバータを含む請求項１１に記載のシステム。
【請求項１８】
プロセッサと、
プロセッサに接続されて動作するマッチファインダモジュールと、
マッチファインダモジュールは１つ以上の参照識別子に基づき１つ以上の放送サービスを特定することと、特定される放送サービスは、前記１つ以上の参照識別子と関連付けられている放送サービスの記述と一致することと、
同１つ以上の参照識別子は別の電子デバイスにより送信されるメタデータファイルから読み出されることと、
前記１つ以上の参照識別子は放送サービスについての情報および第１の電子デバイスのユーザのプリファレンスを含むことと、からなる電子デバイス。
【請求項１９】
前記１つ以上の放送サービスを復元することの可能なデコーダを含む請求項１８に記載の電子デバイス。
【請求項２０】
前記１つ以上の放送サービスを一時的に記憶することの可能なバッファを含む請求項１８に記載の電子デバイス。
【請求項２１】
前記１つ以上の放送サービスに対応する１つ以上のデータストリームを同期させることの可能な同期モジュールを含む請求項１８に記載の電子デバイス。
【請求項２２】
前記１つ以上の放送サービスを記録することの可能なメモリを含む請求項１８に記載の電子デバイス。
【発明の詳細な説明】
【技術分野】
【０００１】
本発明は通信ネットワークに関する。より詳細には、本発明は通信ネットワークにおいて放送サービスを利用するための方法及びシステムに関する。
【背景技術】
【０００２】
放送サービスプロバイダは通信ネットワークにおいて放送サービスを中継する。放送サービスの例には、ストリーミング音声として中継される音楽番組や、ストリーミング映像とストリーミング音声との組み合わせとして中継されるサッカーの試合などがある。通信ネットワークにおいて、これらの放送サービスは電子デバイスによりアクセスされる。電子デバイスの例には、携帯電話機、セットトップボックス、コンピュータ、ラップトップコンピュータ、衛星電話機などがある。通信ネットワークの例には、符号分割多元接続（ＣＤＭＡ）ネットワーク、グローバル・システム・フォー・モバイル・コミュニケーション（ＧＳＭ）ネットワーク、インターネット、ローカルエリアネットワーク（ＬＡＮ）及びワイドエリアネットワーク（ＷＡＮ）がある。電子デバイスのユーザは、所望の放送サービスにアクセスしようとするとき、複数の放送サービスをブラウズ（閲覧）し、所望の放送サービスを特定することが必要な場合がある。多数の放送サービスが存在するとき、ユーザにとって所望の放送サービスをサーチ（検索）することは時間を要する退屈な処理である。さらに、ユーザが多数の放送サービスの間において所望の放送サービスの検索に成功しない場合がある。
【０００３】
特許文献１には、テレビ装置間においてメッセージの送信を可能とするシステムが開示されている。通信ネットワークにおいて放送サービスを検索するための種々の方法が存在する。１つの方法は、電子デバイスをインターネットに接続し、インターネット上で利用可能な種々の検索エンジンを用いて所望のサービスを検索することである。電子デバイスは無線アプリケーションプロトコル（ＷＡＰ）、汎用パケット無線サービス（ＧＰＲＳ）などを用いて、インターネットに接続される。別の方法では、放送サービスプロバイダは選択的な放送サービスを中継する。したがって、ＧＰＲＳにより放送サービスのリストが電子デバイスへ送信される。ユーザはリストから放送サービスを選択し、その放送サービスにアクセスすることが可能である。
【特許文献１】国際公開第０３／０４７２５７号パンフレット
【発明の開示】
【発明が解決しようとする課題】
【０００４】
しかしながら、これらの方法には次の１つ以上の制限が存在する。第１に、これらの方法では、所望の放送サービスを検索することが可能であるのは電子デバイスがインターネットに接続されているときである。そうした方法では、電子デバイスがインターネットに接続可能でない場合、所望の放送サービスを検索することは不可能である。電子デバイスはインターネットへの接続機能を有する必要がある。このため、電子デバイスのコストは増大する。第２に、これらの方法では、放送サービスがインターネット以外の通信ネットワーク上で放送されているとき、所望の放送サービスの検索に失敗することがある。この場合、インターネット上では所望の放送サービスについての情報は利用可能でない。第３に、これらの方法では、電子デバイスを通じて送信されるリストに含まれる限定された数の放送サービスへのアクセスしか提供されない。第４に、これらの方法では、別の電子デバイスにより転送される情報に基づき電子デバイス上の放送サービスを検索することは不可能である。
【課題を解決するための手段】
【０００５】
上記問題点を解決するために、請求項１に記載の発明は、複数の電子デバイスを含む通信ネットワークにおいて放送サービスを利用するための方法であって、第２の電子デバイスへ第１の電子デバイスによって送信されるメタデータファイルを受信するメタデータファイル受信工程と、メタデータファイルから放送サービスに対する１つ以上の参照識別子を読み出す参照識別子読出工程と、同１つ以上の参照識別子に基づき、１つ以上の放送サービスを特定する放送サービス特定工程と、第１の電子デバイスのユーザプリファレンスに基づき、メタデータファイルにより指定されるアクションを第２の電子デバイスが実行するアクション実行工程と、からなることを要旨とする。
【０００６】
請求項２に記載の発明は、請求項１に記載の方法において、放送サービス特定工程は検索アルゴリズムによって第１の電子デバイス及び第２の電子デバイスのうちの少なくとも一方との互換性を有する前記１つ以上の放送サービスのフォーマットを特定する工程を含むことを要旨とする。
【０００７】
請求項３に記載の発明は、請求項１に記載の方法において、第２の電子デバイスにより特定される前記１つ以上の放送サービスから放送サービスを第１の電子デバイスのユーザインタフェースにおいて選択する工程を含むことを要旨とする。
【０００８】
請求項４に記載の発明は、請求項１に記載の方法において、アクション実行工程は放送サービス特定工程に応答して第１の電子デバイスにメッセージを送信する工程を含むことを要旨とする。
【０００９】
請求項５に記載の発明は、請求項１に記載の方法において、アクション実行工程は前記１つ以上の放送サービスにアクセスする工程を含むことを要旨とする。
請求項６に記載の発明は、請求項１に記載の方法において、アクション実行工程は前記１つ以上の放送サービスにアクセスするための時間をスケジューリングする工程を含むことを要旨とする。
【００１０】
請求項７に記載の発明は、請求項１に記載の方法において、アクション実行工程は前記１つ以上の放送サービスに対応する番組を１つ以上のファイルに記録する工程を含むことを要旨とする。
【００１１】
請求項８に記載の発明は、請求項７に記載の方法において、１つ以上のファイルを第１のフォーマットから第２のフォーマットに変換する工程を含むことを要旨とする。
請求項９に記載の発明は、請求項７に記載の方法において、複数の電子デバイスのうちの１つ以上の電子デバイスに番組を送信する工程を含むことを要旨とする。
【００１２】
請求項１０に記載の発明は、請求項１に記載の方法において、複数の電子デバイスのうちの１つ以上の電子デバイスにメタデータファイルを送信する工程を含むことを要旨とする。
【００１３】
請求項１１に記載の発明は、複数の電子デバイスを含む通信ネットワークにおいて放送サービスを利用するためのシステムであって、メタデータファイルから放送サービスに対する１つ以上の参照識別子を読み出すことの可能な読出モジュールと、読出モジュールにより読み出される１つ以上の参照識別子に基づき、１つ以上の放送サービスを特定することの可能なサービス管理モジュールと、からなることを要旨とする。
【００１４】
請求項１２に記載の発明は、請求項１１に記載のシステムにおいて、複数の電子デバイスのうちの１つ以上の電子デバイスにメッセージを送信することの可能なメッセージングモジュールを含むことを要旨とする。
【００１５】
請求項１３に記載の発明は、請求項１１に記載のシステムにおいて、前記１つ以上の放送サービスにアクセスすることの可能なサービス消費モジュールを含むことを要旨とする。
【００１６】
請求項１４に記載の発明は、請求項１１に記載のシステムにおいて、前記１つ以上の放送サービスに対し実行されるアクションを指定される時間にスケジューリングすることの可能なスケジューリングモジュールを含むことを要旨とする。
【００１７】
請求項１５に記載の発明は、請求項１１に記載のシステムにおいて、前記１つ以上の放送サービスに対応する番組を記録することの可能なメモリを含むことを要旨とする。
請求項１６に記載の発明は、請求項１１に記載のシステムにおいて、複数の電子デバイスのうちの１つ以上の電子デバイスに前記１つ以上の放送サービスを送信することの可能な送信モジュールを含むことを要旨とする。
【００１８】
請求項１７に記載の発明は、請求項１１に記載のシステムにおいて、前記１つ以上の放送サービスを第１のフォーマットから第２のフォーマットに変換することの可能なコンバータを含むことを要旨とする。
【００１９】
請求項１８に記載の発明は、プロセッサと、プロセッサに接続されて動作するマッチファインダモジュールと、マッチファインダモジュールは１つ以上の参照識別子に基づき１つ以上の放送サービスを特定することと、同１つ以上の参照識別子は別の電子デバイスにより送信されるメタデータファイルから読み出されることと、からなることを要旨とする。
【００２０】
請求項１９に記載の発明は、請求項１８に記載の電子デバイスにおいて、前記１つ以上の放送サービスを復元することの可能なデコーダを含むことを要旨とする。
請求項２０に記載の発明は、請求項１８に記載の電子デバイスにおいて、前記１つ以上の放送サービスを一時的に記憶することの可能なバッファを含むことを要旨とする。
【００２１】
請求項２１に記載の発明は、請求項１８に記載の電子デバイスにおいて、前記１つ以上の放送サービスに対応する１つ以上のデータストリームを同期させることの可能な同期モジュールを含むことを要旨とする。
【００２２】
請求項２２に記載の発明は、請求項１８に記載の電子デバイスにおいて、前記１つ以上の放送サービスを記録することの可能なメモリを含むことを要旨とする。
【発明を実施するための最良の形態】
【００２３】
図１には、本発明による複数の電子デバイス間の通信を示す代表的な環境を示す。この複数の電子デバイスには、電子デバイス１０２，１０４，１０６，１０８及び放送サービスプロバイダ１１０が含まれる。通信ネットワーク１１２により、電子デバイス１０４などの電子デバイスが、電子デバイス１０６など別の電子デバイスからメタデータファイルを受信することが可能となる。通信ネットワークの例には、以下に限定されるものではないが、符号分割多元接続（ＣＤＭＡ）、グローバル・システム・フォー・モバイル・コミュニケーション（ＧＳＭ）、インターネット、ローカルエリアネットワーク（ＬＡＮ）、ワイドエリアネットワーク（ＷＡＮ）及び小型地球局（ＶＳＡＴ；Ｖｅｒｙ  Ｓｍａｌｌ  Ａｐｅｒｔｕｒｅ  Ｔｅｒｍｉｎａｌ）がある。メタデータファイルは放送サービスに対する参照識別子を含む。これらの参照識別子には、放送サービスについての情報や、電子デバイス１０６のユーザのプリファレンスが含まれる。ユーザのプリファレンスには、以下に限定されるものではないが、放送サービスの継続時間、放送サービスのチャネル、言語、放送サービスと関連付けられている総称型、及び電子デバイス１０４により実行されるアクションを指定するアクションフィールドが含まれる。総称型には、以下に限定されるものではないが、サッカーの試合、映画、音楽番組、及び漫画がある。アクションフィールドは、放送サービスを記録する命令を含むことが可能である。ユーザのプリファレンスは、例えば、午前９時〜午後９時にフランス語により中継される映画、などである。メタデータファイルに含まれる参照識別子に基づき、電子デバイス１０４は、放送サービスプロバイダ１１０により中継される１つ又はそれ以上の放送サービスからの記述とマッチ（一致）する、１つ以上の放送サービスを特定する。
【００２４】
図２には、本発明による通信ネットワーク１１２において放送サービスを利用するための方法を示す代表的なフローチャートを示す。工程２０２における処理の開始後、工程２０４にて、第１の電子デバイスの送信するメタデータファイルは、複数の電子デバイスのうちの第２の電子デバイスにて受信される。工程２０６にて、このメタデータファイルから、放送サービスに対する１つ以上の参照識別子が読み出される。工程２０８にて、この１つ以上の参照識別子に基づき、１つ以上の放送サービスが特定される。さらに、工程２１０にて、第１の電子デバイスのユーザのプリファレンスに基づき、第２の電子デバイスがアクションを実行する。アクションの例には、以下に限定されるものではないが、１つ以上の放送サービスの特定に応答して第１の電子デバイスにメッセージを送信すること、１つ以上の放送サービスにアクセスすること、１つ以上の放送サービスにアクセスするための時間をスケジューリングすること、及び１つ以上の放送サービスに対応する番組を１つ以上のファイルに記録することがある。この１つ以上のファイルは第１のフォーマットにより記憶される。本発明の一実施形態では、この１つ以上のファイルは第１のフォーマットから第２のフォーマットへ変換される。例えば、映像ファイルは第１のフォーマットであるＭＰＥＧ４フォーマットから、第２のフォーマットであるＨ２６４フォーマットへ変換される。その後、処理は工程２１２にて終了する。
【００２５】
図３には、本発明による通信ネットワーク１１２において放送サービスを利用するための別の方法を示す代表的なフローチャートを示す。工程３０２における処理の開始後、工程３０４にて、第１の電子デバイスの送信するメタデータファイルは、第２の電子デバイスにて受信される。メタデータファイルは複数の電子デバイスのうちの第１の電子デバイスにより送信される。工程３０６にて、このメタデータファイルから１つ以上の参照識別子が読み出される。工程３０８にて、この１つ以上の参照識別子に基づき、１つ以上の放送サービスが特定される。本発明の一実施形態では、この１つ以上の参照識別子と関連付けられている１つ以上の放送サービスを放送サービスプロバイダが中継しない場合、放送サービスプロバイダは別の放送サービスプロバイダを指し示すＲＡＲ（Ｒｅｓｏｌｖｉｎｇ  Ａｕｔｈｏｒｉｔｙ  Ｒｅｃｏｒｄ）を含む。放送サービスプロバイダを特定するにはＲＡＲが必要である。これにしたがって、別の放送サービスプロバイダが特定される。放送サービスが中継される場合、その放送サービスはＩＭＧ（Ｉｎｔｅｒｎｅｔ  Ｍｅｄｉａ  Ｇｕｉｄｅ）のＡｎｎｏｕｎｃｅ情報を含む。ＩＭＧ  Ａｎｎｏｕｎｃｅ情報は、サービス及びその識別子と関連付けられているメタデータの種々のフォーマットをサポートするプラットフォームである。ＩＭＧ  Ａｎｎｏｕｎｃｅ情報により、１つ以上の放送サービスと関連付けられているＴＶＡ（ＴＶ  Ａｎｙｔｉｍｅ）メタデータのロケーションが示される。ＴＶＡメタデータは、対応する放送サービスのコンテンツ、品質、状態及びロケーションに関連する情報を含む。１つ以上の放送サービスはＴＶＡメタデータに基づき特定される。
【００２６】
特定される放送サービスは、１つ以上の参照識別子により指定される第１の電子デバイスのユーザのプリファレンスと一致する。本発明の一実施形態では、１つ以上の放送サービスは検索アルゴリズムに基づき特定される。特定される放送サービスは、第１の電子デバイス及び第２の電子デバイスのうちの少なくとも一方との互換性を有する。
【００２７】
工程３１０にて、第２の電子デバイスにより特定される１つ以上の放送サービスから、放送サービスが選択される。本発明の一実施形態では、ユーザのプリファレンスと一致する１つ以上の放送サービスのリストが、第１の電子デバイスのユーザに対し表示される。これにしたがって、ユーザはリストから放送サービスを選択する。工程３１２にて、選択される放送サービスに対し、第２の電子デバイスにおいてアクションが実行される。さらに、工程３１４にて、Ｂｌｕｅｔｏｏｔｈ（登録商標）、赤外線などにより、通信ネットワーク１１２を通じて複数の電子デバイスのうちの１つ以上の電子デバイスへ、メタデータファイルが転送される。メタデータファイルは、ＭＭＳ（Ｍｕｌｔｉｍｅｄｉａ  Ｍｅｓｓａｇｉｎｇ  Ｓｅｒｖｉｃｅ）の添付ファイルとして転送されることが可能である。本発明の一実施形態では、１つ以上の放送サービスに対応する番組が、複数の電子デバイスのうちの１つ以上の電子デバイスへ転送される。その後、処理は工程３１６にて終了する。
【００２８】
図４には、本発明による通信ネットワーク１１２において放送サービスを利用するためのシステムを示す代表的なブロック図を示す。このシステムは、読出モジュール４０２及びサービス管理モジュール４０４を備える。本発明の一実施形態では、このシステムは第２の電子デバイスに含まれる。メタデータファイルは第１の電子デバイスによって第２の電子デバイスに対し送信される。読出モジュール４０２はメタデータファイルから、放送サービスに対する１つ以上の参照識別子を読み出す。この１つ以上の参照識別子には、第１の電子デバイスのユーザのプリファレンスが含まれる。サービス管理モジュール４０４は、第１の電子デバイスのユーザのプリファレンスを含む、この１つ以上の参照識別子に基づき、１つ以上の放送サービスを特定する。
【００２９】
また、このシステムはメッセージングモジュール４０６を備える。メッセージングモジュール４０６は、複数の電子デバイスのうちの１つ以上の電子デバイスへメッセージを送信する。メッセージは、ＳＭＳ（Ｓｈｏｒｔ  Ｍｅｓｓａｇｅ  Ｓｅｒｖｉｃｅ）、ＭＭＳなどとして送信される。このメッセージには、サービス管理モジュール４０４により特定される１つ以上の放送サービスのリスト及び記述が含まれる。例えば、メッセージには、１つ以上の放送サービスのタイトル、１つ以上の放送サービスが中継されるチャネル、中継の時間及び関連付けられているアーティストの名前が含まれる。このリストは第１の電子デバイスのユーザに対し表示される。これにしたがって、ユーザは、このリストから放送サービスを選択する。
【００３０】
また、このシステムはサービス消費モジュール４０８を備える。サービス消費モジュール４０８は、この１つ以上の放送サービスにアクセスする。この１つ以上の放送サービスは、メタデータファイルから読み出される参照識別子に含まれる第１の電子デバイスのユーザのプリファレンスに基づき、アクセスされる。プリファレンスにおいて、この１つ以上の放送サービスにアクセスする命令をアクションフィールドが含むとき、この１つ以上の放送サービスがアクセスされる。
【００３１】
さらに、このシステムは、この１つ以上の放送サービスに対応する番組を記録するメモリ４１０を備える。この１つ以上の放送サービスを記録する命令をアクションフィールドが含むとき、番組が記録される。本発明の一実施形態では、番組は１つ以上のファイルに記録されるが、この１つ以上のファイルは第１のフォーマットにより記憶される。例えば、セットトップボックスはＭＰＥＧ（Ｍｏｖｉｎｇ  Ｐｉｃｔｕｒｅ  Ｅｘｐｅｒｔｓ  Ｇｒｏｕｐ）４フォーマットにて利用可能なサッカーの試合を特定する。セットトップボックスのメモリ４１０は、サッカーの試合をＭＰＥＧ４フォーマットにより記録することが可能である。
【００３２】
さらに、このシステムはコンバータ４１２を備える。記録される番組は、コンバータ４１２を用いて第１のフォーマットから第２のフォーマットへ変換される。例えば、コンバータ４１２は番組をＭＰＥＧ４フォーマットからＨ２６４フォーマットへ変換する。
【００３３】
また、このシステムはスケジューリングモジュール４１４を備える。スケジューリングモジュール４１４は、この１つ以上の放送サービスに対し実行されるアクションを指定される時間にスケジューリングする。本発明の一実施形態では、スケジューリングモジュール４１４は、サービス消費モジュール４０８による１つ以上の放送サービスへのアクセスのための時間をスケジューリングする。例えば、スケジューリングモジュール４１４は、ユーザに対し送信されるリストからユーザの選択する午前１０時の音楽番組にアクセスするように、サービス消費モジュール４０８をスケジューリングする。本発明の別の実施形態では、スケジューリングモジュール４１４は、この１つ以上の放送サービスを記録するようにメモリ４１０をスケジューリングする。例えば、スケジューリングモジュール４１４は、ユーザに対し送信されるリストからユーザの選択する午後１１時の演説を記録するようにメモリ４１０をスケジューリングする。プリファレンスにおいて、指令のアクションを指定される時間にスケジューリングする命令をアクションフィールドが含むとき、アクションがスケジューリングされる。
【００３４】
さらに、このシステムは送信モジュール４１６を備える。送信モジュール４１６はメモリ４１０の記録する１つ以上の放送サービスを、複数の電子デバイスのうちの１つ以上の電子デバイスへ送信する。例えば、携帯電話機において、送信モジュール４１６は記憶されている動画のビデオクリップを、Ｂｌｕｅｔｏｏｔｈ（登録商標）又は赤外線により、別の携帯電話機へ送信する。
【００３５】
図５には、本発明による電子デバイス１０４のブロック図を示す。電子デバイス１０４はプロセッサ５０２及びマッチファインダモジュール５０４を備える。プロセッサ５０２は、電子デバイス１０４の全てのコンポーネント及びモジュールの機能を管理及び制御するマイクロプロセッサチップである。マッチファインダモジュール５０４はプロセッサ５０２と接続されて動作する。マッチファインダモジュール５０４は、別の電子デバイスの送信するメタデータファイルから読み出される１つ以上の参照識別子に基づき、１つ以上の放送サービスを特定する。
【００３６】
また、電子デバイス１０４はデコーダ５０６を備える。デコーダ５０６はマッチファインダモジュール５０４の特定する１つ以上の放送サービスを復元し、その１つ以上の放送サービスに電子デバイス１０４がアクセスすることを可能とする。
【００３７】
さらに、電子デバイス１０４はバッファ５０８を備える。バッファ５０８は、この１つ以上の放送サービスを一時的に記憶する。一時的な記憶によって、この１つ以上の放送サービスがデコーダ５０６により復元される速度と、電子デバイス１０４にて視聴される速度とが均等化される。
【００３８】
さらに、電子デバイス１０４は同期モジュール５１０を備える。同期モジュール５１０は１つ以上の放送サービスに対応する１つ以上のデータストリームを同期させる。例えば、ダンス番組は音声ストリームと映像ストリームとに相当する。電子デバイス上で適正にダンス番組を視聴するには、両方のストリームを同期させる必要がある。
【００３９】
さらに、電子デバイス１０４は、この１つ以上の放送サービスを記録するためのメモリ５１２を備える。
本発明では、通信ネットワークにおいて放送サービスを利用するための方法及びシステムを提供する。本発明の方法及びシステムによって、通信ネットワークの第２の電子デバイスが第１の電子デバイスに送信するメタデータファイルにより指定されるプリファレンスに基づき、第１の電子デバイスが放送サービスを特定することが可能となる。
【図面の簡単な説明】
【００４０】
【図１】本発明による複数の電子デバイスと放送サービスプロバイダとの間の通信を示す代表的な環境の図。
【図２】本発明による通信ネットワークにおいて放送サービスを利用するための方法を示すフローチャート。
【図３】本発明による通信ネットワークにおいて放送サービスを利用するための別の方法を示すフローチャート。
【図４】本発明による通信ネットワークにおいて放送サービスを利用するためのシステムのブロック図。
【図５】本発明による電子デバイスのブロック図。
【符号の説明】
【００４１】
１０２，１０４，１０６，１０８…電子デバイス、１１０…放送サービスプロバイダ、１１２…通信ネットワーク、４０２…読出モジュール、４０４…サービス管理モジュール、４０６…メッセージングモジュール、４０８…サービス消費モジュール、４１０…メモリ、４１２…コンバータ、４１４…スケジューリングモジュール、４１６…送信モジュール、５０２…プロセッサ、５０４…マッチファインダモジュール、５０６…デコーダ、５０８…バッファ、５１０…同期モジュール、５１２…メモリ。
【図１】
0004496190.tif 000002
【図２】
0004496190.tif 000003
【図３】
0004496190.tif 000004
【図４】
0004496190.tif 000005
【図５】
0004496190.tif 000006